(57)【要約】      （修正有）【課題】幼児がテープを捻らないでも簡単に切断できるプラスチック製テープカッターを提供する。【解決手段】テープ巻取り収納部３から引き出しているテープ４に対して切断刃２１と、テープ粘着固定部２３が溝２２を介して斜めに平行に取り付けられていることを特徴とするプラスチック製テープカッター。【選択図】図１
2012144369.tif 000002
【特許請求の範囲】
【請求項１】
テープ収納部３から引き出すテープ４のテープ面に対して、切断刃２１と、テープ粘着固定部２３が溝２２を介して斜めに平行に取り付けられていることを特徴とするプラスチック製テープカッター。
【請求項２】
切断刃２１がテープ粘着固定部２３より高く取り付けたことを特徴とする請求項１に記載のプラスチック製テープカッター。
【発明の詳細な説明】
【技術分野】
【０００１】  本発明は、プラスチックの切断刃を有するプラスチック製テープカッターに関する。
【背景技術】
【０００２】プラスチック製テープカッターは、鉄製のカッターに対して、テープが切れにくかった。従来のプラスチック製テープカッターは、図６のように、テープ巻取り収納部から引き出したテープの面と平行に、切断刃とテープ粘着固定部を設けている。
大人がプラスチック製テープカッターでテープを切るとき、テープを巻取り収納部から引き出して、捻って切断刃にあてるためにテープを上手く切ることができた。
しかし、幼児がプラスチック製テープカッターを使用する際、テープ接着面を傾け、テープ端から切ろうとせず、切断刃と平行のまま力任せにテープを刃に押し付け、切断しようとする為、テープが伸びて上手く切ることができなかった。
【先行技術文献】
【特許文献】
【０００３】
【特許文献１】特願２００８−２６４６６６号公報
【発明の概要】
【発明が解決しようとする課題】
【０００４】幼児がテープを捻らないでも簡単に切断できるプラスチック製テープカッターを提供する。
【課題を解決するための手段】
【０００５】テープ巻取り収納部３から引き出すテープ４のテープ面に対して、切断刃２１と、テープ粘着固定部２３が溝２２を介して斜めに平行に取り付けられていることを特徴とするプラスチック製テープカッター。【０００６】切断刃２１がテープ粘着固定部２３より高く取り付けられていることを特徴とする請求項１に記載のプラスチック製テープカッター。
【発明の効果】
【０００７】テープを捻らずに、幼児でも簡単に切断できるプラスチック製テープカッターを提供する。
【図面の簡単な説明】
【０００８】
【図１】本考案のプラスチック製テープカッターの構成  （ａ）カッター部詳細構成  （ｂ）外観図
【図２】本発明のプラスチック製テープカッターの切断原理図
【図３】本発明のプラスチック製テープカッターの粘着固定部とテープの巻厚関係図  （ａ）粘着固定部がある場合  （ｂ）粘着固定部がない場合
【図４】本発明のプラスチック製テープカッターの切断刃と粘着固定部との関係図  （ａ）切断刃が粘着固定部より低い  （ｂ）切断刃と粘着固定部が同じ高さ  （ｃ）切断刃が接着固定部より高い
【図５】実験結果  （ａ）テープ面に対して切断刃が平行  （ｂ）切断刃が山型  （ｃ）本発明の切断刃が引き出すテープ面に対して傾斜している
【図６】従来のプラスチック製テープカッターの構成
【発明を実施するための形態】
【０００９】以下、本考案のプラスチック製テープカッターの実施例について説明する
図１は、本発明のテープカッターの構成を示す。（ａ）はカッター部の詳細構成、（ｂ）は外観図示す。
本発明のプラスチック製テープカッター１は、図１の（ｂ）に示すように、テープ巻取り収納部３とカッター部２と、テープ４と、台座ケース５から構成する。
台座ケース５にテープ巻取り収納部３を設け、そのテープ巻取り収納部３にテープ４を設置し、テープ４を引き出して、テープ４をカッター部２に押し下げて切断する。
本発明のプラスチック製テープカッターのカッター部２は、図１の（ａ）のように、切断刃２１と、テープ粘着固定部２３、溝２２からなり、切断刃２１とテープ粘着固定部２３は溝２２を介して平行にある。また、引き出して切断するテープ４のテープ面に対して斜めに取り付けられている。
切断刃２１はプラスチック又は樹脂製の三角柱の頂上を斜めに切断した、先が尖った突起を連続して配置し、それによりテープが切断される。
【００１０】図２は本発明のテープカッターの原理図である。
プラスチック製テープカッター１の切断刃２１は、連続して配置された突起刃２１１、突起刃２１２…突起刃Ｎからなる。それに対応してテープ４がテープ粘着固定部２３の支点２３１、支点２３２…支点Ｍからなる。
切断刃２１とテープ粘着固定部２３を、溝２２を介して平行に、引き出して切断するテープ４のテープ面に対して斜めに取り付けることで、幼児が力任せにテープ４をテープ粘着固定部２３と切断刃２１に下方向に押付けた場合でも、斜めに設けているテープ粘着固定部２３の上方から、まず、テープ粘着固定部２３のテープが接触する支点２３１に、粘着し、次に、それに対応する切断刃の突起刃２１１に当接し、テープが破れ、次にテープ粘着固定部２３のテープが接触する支点２３２に接着し、次に、それに対応する切断刃の突起２１２に当接し、テープが破れる。このようにテープ粘着固定部２３が支点となり、切断刃２１でテープ４に順次切り込みが入るので、少ない力で容易にテープを切断できる。
このように、テープ粘着固定部２３が支点となり、切断刃２１でテープ４の端に切り込みが入ることで、傾斜をつけているテープ粘着固定部２３の支点が順番に傾斜に沿って下へ移動していきながら、テープ４を容易に切断することができる。
【００１１】図３は、本発明のプラスチック製テープカッター１のテープ巻取り収納部３テープが巻いている厚みとテープ粘着固定部２３との関係図を示す。（ａ）は粘着固定部がある場合、（ｂ）粘着固定部がない場合
（ａ）のように、粘着固定部２３がある場合、テープ４の巻き数が多い時（テープが新しい状態の時）、少なくなった時（テープが無くなりかけている時）でも、一端粘着固定部２３にテープ４が接着するため、角度が一定に保たれ安定してテープ４を切断することができる。一方（ｂ）のように粘着固定部２３が無く、直接切断刃２１にテープ４が接する場合、巻き数が多い時と少ない時では角度が一定に保たれないため、テープ４を切断する際に安定しない。
【００１２】図４は、本発明のプラスチック製テープカッター１の切断刃２１とテープ粘着固定部２３との位置関係を示す。（ａ）は切断刃がテープ粘着固定部より低い、（ｂ）は切断刃とテープ粘着固定部が同じ高さ、（ｃ）は切断刃がテープ粘着固定部より高い場合を示す。
（ｃ）のように、切断刃２１がテープ粘着固定部２３より高くすることにより、テープ粘着固定部２３で接着したテープ４が切断刃２１を通して下方に引っ張るために、テープ４が切断刃２１に鋭角に接触するためより少ない力で上手く切断できる。
【００１３】図５は、幼児実験結果で、（ａ）は引き出すテープ４のテープ面に対して切断刃が平行、（ｂ）切断刃は山型、（ｃ）本発明の切断刃が引き出すテープ４のテープ面に対して傾斜している場合である。３歳から５歳の幼児３０名で切れ味を検証した結果、上手くテープを切ることができた幼児の割合が、本発明の傾斜になっている切断刃の場合８０％、通常の切断刃がテープに対して平行の場合が２０％であった。以上の事から本発明の切断刃がテープに対して傾斜した場合が、最も上手くテープが切れることが検証できた。
【００１４】図６は、従来のテープカッターの構成図である。テープ巻取り収納部３から引き出したテープ４のテープ面と平行に、切断刃２１とテープ粘着固定部２３を設けている。
【産業上の利用可能性】
【００１５】幼児の手先の発達を促し、自立心を育てることに役立つ
【符号の説明】
【００１６】１  プラスチック製テープカッター
２  カッター部
２１  切断刃
２１１〜Ｎ  突起刃
２２  溝
２３  テープ粘着固定部
２３１〜Ｍ  支点
３  テープ巻取り収納部
４  テープ
５  台座ケース
【図１】
2012144369.tif 000003
【図２】
2012144369.tif 000004
【図３】
2012144369.tif 000005
【図４】
2012144369.tif 000006
【図５】
2012144369.tif 000007
【図６】
2012144369.tif 000008